(57)【要約】  マウス型の入力装置の筐体に設けられ、前記入力装置を用いるユーザの手に光を当て、該光に係る反射光又は透過光を受光するセンシング部と、前記入力装置における入力操作に係る情報と、前記センシング部で得られる受光量情報とに基づいて、前記ユーザの生体情報を生成する処理部とを含む、生体情報測定装置が開示される。
2019087916.tif 000002
【特許請求の範囲】
【請求項１】
マウス型の入力装置の筐体に設けられ、前記入力装置を用いるユーザの手に光を当て、該光に係る反射光又は透過光を受光するセンサと、
前記入力装置における入力操作に係る操作情報と、前記センサで得られる受光量情報とに基づいて、前記ユーザの生体情報を生成するプロセッサとを含む、生体情報測定装置。
【請求項２】
前記プロセッサは、前記入力操作がある状態において、前記入力操作がない状態に比べて、前記生体情報の生成又は出力を抑制する、請求項１に記載の生体情報測定装置。
【請求項３】
前記プロセッサは、前記入力操作がない状態において、前記生体情報の生成及び出力を行う、請求項２に記載の生体情報測定装置。
【請求項４】
前記センサは、前記筐体の表面に沿う状態又は該表面から突出する状態で設けられる、請求項１〜３のうちのいずれか１項に記載の生体情報測定装置。
【請求項５】
マウス型の入力装置の筐体に設けられかつ前記入力装置を用いるユーザの手に光を当て該光に係る反射光又は透過光を受光するセンサから、受光量情報を取得する受光量情報取得部と、
前記入力装置における入力操作に係る操作情報を取得する操作情報取得部と、
前記受光量情報と前記操作情報とに基づいて、前記ユーザの生体情報を生成する生成部とを含む、情報処理装置。
【請求項６】
マウス型の入力装置の筐体に設けられかつ前記入力装置を用いるユーザの手に光を当て該光に係る反射光又は透過光を受光するセンサから、受光量情報を取得し、
前記入力装置における入力操作に係る操作情報を取得し、
前記受光量情報と前記操作情報とに基づいて、前記ユーザの生体情報を生成することを含む、コンピュータにより実行される情報処理方法。
【請求項７】
マウス型の入力装置の筐体に設けられかつ前記入力装置を用いるユーザの手に光を当て該光に係る反射光又は透過光を受光するセンサから、受光量情報を取得し、
前記入力装置における入力操作に係る操作情報を取得し、
前記受光量情報と前記操作情報とに基づいて、前記ユーザの生体情報を生成する
処理を、コンピュータに実行させるプログラム。
【請求項８】
請求項７に記載のプログラムを記憶する非一時的なコンピュータ可読記憶媒体。
【発明の詳細な説明】
【技術分野】
【０００１】
本開示は、生体情報測定装置、情報処理装置、情報処理方法、及びプログラムに関する。
【背景技術】
【０００２】
コンピュータを操作するユーザの脈波情報（生体情報の一例）を、マウスの筐体に設けた生体情報測定装置で測定する脈波センサが知られている。
【先行技術文献】
【特許文献】
【０００３】
【特許文献１】特開２０１４−１６６２１５号公報
【発明の概要】
【発明が解決しようとする課題】
【０００４】
しかしながら、上記技術では、精度の高い生体情報だけが生成又は出力される可能性を高めることができない。例えば、正確な脈波測定を行うには、測定対象者が着座し、かつ静止している状態で脈波を測定する必要がある。測定対象の手が動いても、測定精度に大きく影響する。測定対象の手又はその親指等が動いている間に得られる脈波情報の精度は、手の静止状態であるときに得られる脈波情報の精度よりも、低くなる傾向がある。【０００５】
精度の高い生体情報だけを生成又は出力可能とする技術が必要とされている。
【課題を解決するための手段】
【０００６】
１つの側面では、マウス型の入力装置の筐体に設けられ、前記入力装置を用いるユーザの手に光を当て、該光に係る反射光又は透過光を受光するセンサと、
前記入力装置における入力操作に係る情報と、前記センシング部で得られる受光量情報とに基づいて、前記ユーザの生体情報を生成するプロセッサとを含む、生体情報測定装置が提供される。
【発明の効果】
【０００７】
実施例によれば、精度の高い生体情報だけを生成又は出力することが可能な技術が提供される。
【図面の簡単な説明】
【０００８】
【図１】一実施例による生体情報測定装置１のハードウェア構成の一例を示す図である。
【図２】一実施例による生体情報測定装置１が取り付けられたマウス５を示す概略図である。
【図３】マウス５の筐体５００に設けられる生体情報測定装置１の測定動作の説明図である。
【図４】生体情報測定装置１の機能を説明するための機能ブロック図である。
【図５】生体情報測定装置１により実行される処理の一例を説明するためのフローチャートである。
【図６】表示部２０１上の画面８００の一例を示す。
【図７】マウス５で入力操作がない状態において得られる受光量情報に基づいて生成された生体情報の波形の一例を示す図である。
【図８】マウス５で入力操作がある状態において得られる受光量情報に基づいて生成された生体情報の波形の一例を示す図である。
【発明を実施するための形態】
【０００９】
以下、添付図面を参照しながら各実施例について詳細に説明する。
【００１０】
図１は、一実施例による生体情報測定装置１のハードウェア構成の一例を示す図である。図１には、情報機器２００も併せて示されている。
【００１１】
生体情報測定装置１は、発光部２０と、受光部３０と、制御部１７０を備える。
【００１２】
発光部２０は、センサ筐体（図示せず）内に設けられ、センサ筐体の光学窓１１（図３参照）を介して外部に向けて光を照射する。発光部２０は、例えばLight-Emitting Diode（ＬＥＤ）により形成される。
【００１３】
受光部３０は、発光部２０と同じセンサ筐体（図示せず）内に設けられ、光学窓１１を介して光を受光する。発光部２０は、例えば２つの波長の異なるLight-Emitting Diode（ＬＥＤ）により形成される。
【００１４】
受光部３０は、発光部２０と同じセンサ筐体（図示せず）内に設けられ、光を受光する。受光部３０は、例えばフォトダイオードにより形成される。
【００１５】
発光部２０、受光部３０、及び光学窓１１は、生体情報測定装置１のセンシング部４０を形成する。
【００１６】
制御部１７０は、インターフェース１３２、メモリ１３４、タイマ１３６、Central Processing Unit（ＣＰＵ）１３８（処理部の一例）、及びAnalog to Digital Converter（ＡＤＣ）１４０を備える。
【００１７】
制御部１７０には、ドライブ回路１１０及び増幅回路１２０が電気的に接続される。また、制御部１７０には、電源１３０が電気的に接続される。また、制御部１７０には、無線通信部１４２が電気的に接続される。制御部１７０は、ドライブ回路１１０を介して発光部２０を駆動制御し、受光部３０及びAnalog to Digital Converter（ＡＤＣ）１４０を介して得られる受光信号を処理して、生体情報を生成する。
【００１８】
本実施例では、一例として、制御部１７０は、受光部３０で得る受光量情報に基づいて、生体情報として、脈波及びヘモグロビンに関連する測定値を生成する。例えば、受光量の変化は、血管の容積変化に応じて生じるため、脈波情報（容積脈波）を得ることができる。また、受光量の変化は、血流内のヘモグロビンの濃度変化に応じて生じるため、ヘモグロビンに関連する測定値を得ることができる。本実施例では、一例として、制御部１７０は、脈波の測定値と、ヘモグロビンに関連する測定値の一例であるΔＨｂの測定値を生成する。本実施例では、一例として、ΔＨｂは、オキシヘモグロビンの濃度と、デオキシヘモグロビンの濃度と、オキシヘモグロビンの濃度及びデオキシヘモグロビンの濃度の合計値の３種類の値を有する。
【００１９】
制御部１７０は、生成した生体情報を、インターフェース１３２を介して無線通信部１４２に与える。無線通信部１４２は、生体情報を、アンテナ１４４を介して、情報機器２００に送信する。
【００２０】
無線通信部１４２は、アンテナ１４４を介して、情報機器２００から無線信号を受信する。尚、このようなアンテナ１４４を介した無線通信（データ通信）は、例えばBluetooth（登録商標）に基づいてよい。また、変形例では、生体情報測定装置１は、情報機器２００に、例えばUniversal Serial Bus（ＵＳＢ）などの有線で電気的に接続されてよい。
【００２１】
制御部１７０には、加速度センサ１８０が電気的に接続される。加速度センサ１８０は、生体情報測定装置１に作用する加速度を検出する。加速度センサ１８０は、例えば直交する３軸方向の加速度を検出する。加速度センサ１８０は、例えばセンサ筐体内に設けられる。但し、変形例では、加速度センサ１８０は、後述のマウス５内に設けられてもよい。この場合、制御部１７０は、例えば無線通信部１４２を介して、加速度センサ１８０の加速度情報を取得してよいし、後述のマウス５と通信可能な情報機器２００を介して加速度センサ１８０の加速度情報を取得してよい。加速度情報は、後述のマウス５の動き（加速度）を表すので、後述のマウス５での操作情報の一部である。
【００２２】
情報機器２００は、例えばユーザのPersonal Computer（ＰＣ）や、スマートフォン、タブレット端末等でありうる。情報機器２００は、表示部２０１を有する。本実施例では、一例として、情報機器２００は、後述のマウス５と通信可能なＰＣ（表示部２０１付きのＰＣ）であるとする。尚、マウス５と情報機器２００との間の通信は、有線又は無線により実現されてよい。情報機器２００は、後述のマウス情報を無線通信部１４２に送信する。
【００２３】
図２は、一実施例による生体情報測定装置１が取り付けられたマウス５を示す概略図である。
【００２４】
マウス５は、マウス型の入力装置であり、筐体５００を有する。マウス５は、マウス情報を生成する。マウス情報は、マウス５での操作情報の他の一部である。
【００２５】
筐体５００は、ホイール５０１を含む。ホイール５０１は、ユーザにより回転操作可能であり、マウス情報の一部を生成する。また、筐体５００は、ユーザの右手による操作の際に、人差し指が置かれる操作部位５０２と、中指が置かれる操作部位５０３とを含む。操作部位５０２及び操作部位５０３は、押し込み操作可能であり、マウス情報の一部を生成する。また、マウス５は、筐体５００の移動を検出する移動検出部（図示せず）を備える。移動検出の原理は、特に限定されない。移動検出部は、例えば、光学式の移動検出部であってよい。移動検出部は、マウス情報の他の一部を生成する。
【００２６】
ユーザは、筐体５００を握りながら、筐体５００を移動させたり、操作部位５０２及び操作部位５０３を押したり、ホイール５０１を回転させたりすることで、マウス５を介して各種の入力操作を行うことができる。
【００２７】
生体情報測定装置１は、図２に示すように、マウス５の筐体５００に取り付けられる。生体情報測定装置１は、筐体５００に取り外し可能に取り付けられてもよいし、取り外し不能に結合されてもよい。また、生体情報測定装置１は、マウス５と一体型であってもよい。
【００２８】
生体情報測定装置１において、好ましくは、図２に示すように、マウス５の筐体５００における、操作するユーザの手の親指が触れる領域に、センシング部４０が配置される。センシング部４０は、生体情報測定装置１の部位である。センシング部４０に操作するユーザの手の親指が触れている際に、センシング部４０を介して、該親指に係る生体情報を取得できる。従って、ユーザがマウス５を手で持つ状態で、生体情報測定装置１は、生体情報を測定することができる。
【００２９】
センシング部４０は、筐体５００の表面に沿う状態で設けられるのが好ましい。代替的に、センシング部４０は、筐体５００の表面から突出する態様（図３参照）で設けられるのが好ましい。この場合、センシング部４０が筐体５００の表面よりも内部（例えば凹部内）に設けられる場合に比べて、精度の高い生体情報が得られる可能性が高くなる。具体的には、センシング部４０が筐体５００の表面よりも内部に設けられる場合は、ユーザは、センシング部４０に触れるために指を筐体５００に押し付ける傾向があり、筐体５００から受ける反力によって指が必要以上に圧迫されると血流が影響を受けうる。これに対して、センシング部４０が筐体５００の表面に沿う状態で設けられる場合、又は、センシング部４０が筐体５００の表面から突出した状態で設けられる場合は、センシング部４０に指が触れる状態での測定が実現され易く、筐体５００から受ける反力によって指の血流が影響を受ける可能性が低い。
【００３０】
図３は、マウス５の筐体５００に設けられる生体情報測定装置１の測定動作の説明図であり、測定対象の人の指（人体）の表面が接する状態の生体情報測定装置１を断面視で概略的に示す図である。図３では、説明上、生体情報測定装置１及び筐体５００の断面は、概略的に示されている。尚、図３に示す例では、センシング部４０は、光学窓１１と、光学窓１１に隣接した発光部２０及び受光部３０とを含む。光学窓１１は、測定光に対して透過率が高い材料により形成される。
【００３１】
測定時、生体情報測定装置１のセンシング部４０に指が接触する。この接触状態で、発光部２０が外部へと光を放出すると、図２にて矢印Ｒ１で模式的に示すように、光の一部は指を通って受光部３０側に向かう。そして、指を通った光の一部は、受光部３０に入射する。受光部３０では、受光結果に応じた電気信号（受光信号）が生成される。受光部３０からの受光信号は、制御部１７０で処理され、上述の生体情報が生成される。
【００３２】
本実施例では、制御部１７０は、マウス５での操作情報（マウス５における入力操作に係る操作情報の一例）と、センシング部４０で得た受光量情報（受光結果）とに基づいて、生体情報を生成する。マウス５での操作情報は、上述のように、マウス情報及び加速度情報を含む。但し、変形例では、マウス５での操作情報は、マウス情報及び加速度情報のいずれか一方だけであってもよい。
【００３３】
具体的には、制御部１７０は、マウス５での操作情報に基づいて、マウス５において入力操作がある状態において、入力操作がない状態に比べて、生体情報の生成又は出力を抑制する。生体情報の生成を抑制するとは、例えば、入力操作がある状態において生成される生体情報の情報量が、入力操作がない状態において生成される生体情報の情報量より小さい態様である。同様に、生体情報の出力を抑制するとは、例えば、入力操作がある状態において出力される生体情報の情報量が、入力操作がない状態において出力される生体情報の情報量より小さい態様である。尚、生体情報の生成又は出力を抑制するとは、生体情報を生成しないこと及び生成しても出力しないことを含む概念である。
【００３４】
ところで、正確な脈波測定を行うには、測定対象者が着座し、かつ静止している状態で測定することが必要である。測定対象の手が動いても、測定精度に大きく影響する。測定対象の手又はその親指等が動いている間に得られる生体情報の精度は、手の静止状態であるときに得られる生体情報の精度よりも、低くなる傾向がある。
【００３５】
この点、本実施例では、マウス５において入力操作がある状態では、入力操作がない状態に比べて、生体情報の生成又は出力が抑制される。従って、本実施例の生体情報測定装置１によれば、マウス５において入力操作がある状態と入力操作がない状態とで生体情報の生成又は出力状態を変化させない構成に比べて、精度の高い生体情報だけが生成又は出力される可能性を高めることができる。
【００３６】
次に、図４及び図５を参照して、本実施例による生体情報測定装置１の動作例を説明する。
【００３７】
図４は、生体情報測定装置１の機能の説明図であり、制御部１７０の機能ブロック図である。
【００３８】
制御部１７０は、受光量情報取得部１７２と、操作情報取得部１７４と、生成部１７６とを含む。受光量情報取得部１７２、操作情報取得部１７４、及び生成部１７６は、ＣＰＵ１３８がメモリ１３４等に記憶されたプログラムを実行することで実現できる。
【００３９】
図５は、生体情報測定装置１の制御部１７０により実行される処理の一例を説明するためのフローチャートである。図５に示す処理は、例えばマウス５にユーザの手が触れた状態において所定周期毎に実行されてよい。マウス５にユーザの手が触れた状態は、例えばマウス５に設けられうる静電センサにより検出されてもよい。或いは、マウス５にユーザの手が触れた状態は、受光部３０からの受光量情報に基づいて有意な生体情報が得られた場合に検出されてもよい。
【００４０】
ステップＳ４００では、操作情報取得部１７４は、マウス５での操作情報、即ち、マウス５から（又は情報機器２００から）のマウス情報、及び、加速度センサ１８０からの加速度情報を取得する。
【００４１】
ステップＳ４０２では、受光量情報取得部１７２は、受光部３０から受光量情報を取得する。
【００４２】
ステップＳ４０４では、生成部１７６は、ステップＳ４００で得た操作情報及び加速度情報に基づいて、マウス５において入力操作があるか否かを判定する。例えば、生成部１７６は、マウス情報があり又は加速度の各成分が所定閾値以上である場合、マウス５において入力操作があると判定する。尚、マウス５において入力操作がないことは、マウス５においてマウス５全体及び一部のいずれもが静止状態であることと実質的に等価である。判定結果が"ＹＥＳ"の場合は、ステップＳ４０８に進み、それ以外の場合は、ステップＳ４０６に進む。
【００４３】
ステップＳ４０６では、生成部１７６は、今回の処理周期内のステップＳ４０２で得た受光量情報に、採用フラグ"１"を対応付ける。採用フラグ"１"を対応付けることは、受光量情報を採用することを意味する。受光量情報を採用するとは、後述の生体情報の算出に利用することを意味する。採用フラグ"１"が対応付けられた受光量情報は、所定のメモリ領域に記憶される。所定のメモリ領域には、例えば直近の所定期間ΔＴ内の受光量情報が記憶される。
【００４４】
ステップＳ４０８では、生成部１７６は、今回の処理周期内のステップＳ４０２で得た受光量情報に、採用フラグ"０"を対応付ける。採用フラグ"０"を対応付けることは、受光量情報を不採用とすることを意味する。受光量情報を不採用とするとは、後述の生体情報の算出に利用しないことを意味する。採用フラグ"０"が対応付けられた受光量情報は、破棄されてもよい。また、採用フラグ"０"が対応付けられると、所定のメモリ領域内の情報がリセットされてよい。
【００４５】
ステップＳ４１０では、生成部１７６は、生体情報の生成条件が成立したか否かを判定する。生体情報の生成条件は、例えば直近の所定期間ΔＴ内の受光量情報がすべて採用フラグ"１"に対応付けられている場合に成立する。但し、変形例では、生体情報の生成条件は、例えば直近の所定期間ΔＴ内の受光量情報が略すべて採用フラグ"１"に対応付けられている場合に成立してもよい。
【００４６】
ステップＳ４１２では、生成部１７６は、所定のメモリ領域内の受光量情報（時系列波形）に基づいて、直近の所定期間ΔＴ内の生体情報を生成する。この際、生成部１７６は、今回周期に対応する時点の生体情報を生成しかつ記憶することで、直近の所定期間ΔＴ内の生体情報を生成してよい。即ち、直近の所定期間ΔＴ以外の他の時点の生体情報は、今回周期以前の処理周期における対応する時点で生成されていてよい。生体情報は上述のとおりである。
【００４７】
ステップＳ４１４では、生成部１７６は、生体情報の出力条件が成立したか否かを判定する。生体情報の出力条件は、例えばステップＳ４１２で得た脈波とΔＨｂの各測定値に基づいて、判定されてもよい。具体的には、他の測定条件は、容積脈波の乱れがない場合に成立してよい。本実施例では、一例として、他の測定条件は、容積脈波の乱れがなく、オキシヘモグロビンの濃度（又はデオキシヘモグロビンの濃度との合計値）が０よりも有意に高く、かつ、オキシヘモグロビンの濃度とデオキシヘモグロビンの濃度とが略等しい場合に成立する。判定結果が"ＹＥＳ"の場合は、ステップＳ４１６に進み、それ以外の場合は、ステップＳ４１８に進む。
【００４８】
ステップＳ４１６では、生成部１７６は、ステップＳ４１０で生成した生体情報の出力を許可する。具体的には、生成部１７６は、ステップＳ４１０で生成した生体情報を情報機器２００に送信（出力）する。この際、生成部１７６は、直近の所定期間ΔＴ内の生体情報の全てを情報機器２００に送信してもよいし、直近の一部のみを情報機器２００に送信してもよい。この場合、情報機器２００は、直近の所定期間ΔＴ内の生体情報を表示部２０１に出力してよい。
【００４９】
ステップＳ４１８では、生成部１７６は、ステップＳ４１０で生成した生体情報の出力を禁止する。具体的には、生成部１７６は、ステップＳ４１０で生成した生体情報に代えて、アラート情報を情報機器２００に送信する。アラート情報は、生体情報の生成が抑制（図５では停止）されている旨を表す情報である。この場合、情報機器２００は、アラート情報を表示部２０１に出力してもよい。アラート情報の出力は、例えば"測定停止中"といった内容のメッセージの出力を伴ってもよい。
【００５０】
尚、ステップＳ４１８では、生成部１７６は、ステップＳ４１２で生成した生体情報を情報機器２００に送信することはない。但し、変形例では、生成部１７６は、ステップＳ４１６で送信するデータ量（又は情報量）よりも少ないデータ量の生体情報だけを情報機器２００に送信してもよい。例えば、ステップＳ４１６では、脈波の測定値及びΔＨｂの測定値に加えて、脈波やΔＨｂから導出される他の生体情報（以下、「追加の生体情報」とも称する）が送信されるのに対して、ステップＳ４１８では、脈波の測定値及びΔＨｂの測定値だけが送信されてもよい。この場合、追加の生体情報は、例えば、脈拍数、血圧、オキシヘモグロビンとデオキシヘモグロビンとの間のバランス（血液酸素バランス）に関連する指標値等であってよい。
【００５１】
図５に示す処理によれば、マウス５において入力操作がある状態において得られる受光量情報は、ステップＳ４０８により採用フラグ"０"が対応付けられる。採用フラグ"０"が対応付けられる受光量情報は、生体情報の生成に利用されない（ステップＳ４１２参照）。従って、図５に示す処理によれば、ユーザの手又はその親指等が動いている間に得られる受光量情報に基づいて生体情報が生成されることを防止できる可能性を、高めることができる。この結果、図５に示す処理によれば、精度の高い生体情報だけが生成及び出力される可能性を高めることができる。
【００５２】
尚、図５に示す処理において、ステップＳ４１４は省略されてもよい。
【００５３】
また、図５では、マウス５において入力操作がある状態において得られる受光量情報は、ステップＳ４０８により採用フラグ"０"が対応付けられ、採用フラグ"０"が対応付けられる受光量情報は、生体情報の生成に利用されない。しかしながら、採用フラグ"０"が対応付けられる受光量情報は、生体情報の生成に利用されるものの、生成された生体情報が出力されないようにしてもよい。
【００５４】
図６乃至図８は、表示部２０１の出力例及び図５の処理の説明図である。図６は、表示部２０１上の画面８００の一例を示す。図７は、マウス５で入力操作がない状態において得られる受光量情報に基づいて生成された生体情報の波形の一例を示す図である。図８は、マウス５で入力操作がある状態において得られる受光量情報に基づいて生成された生体情報の波形の一例を示す図である。図７及び図８には、横軸を時間として、脈波の波形（時系列波形）９０１と、ΔＨｂの各波形（時系列波形）９０２とが示される。ΔＨｂの各波形９０２は、オキシヘモグロビンの濃度の波形９０２Ａと、デオキシヘモグロビンの濃度の波形９０２Ｂと、それらの合計値の波形９０２Ｃとを含む。
【００５５】
画面８００は、脈波情報出力領域８０１と、ΔＨｂ情報出力領域８０２と、アラート情報出力領域８０３とを含む。脈波情報出力領域８０１には、直近の所定期間ΔＴ内の脈波の波形９０１が出力される。ΔＨｂ情報出力領域８０２には、直近の所定期間ΔＴ内のΔＨｂの各波形９０２が出力される。アラート情報出力領域８０３には、上述したアラート情報が情報機器２００で受信された場合に、アラート情報が出力される。アラート情報が出力される状態では、脈波情報出力領域８０１及びΔＨｂ情報出力領域８０２には、波形は出力されなくてもよいし、時間が経過しても波形が更新されない状態とされてもよい。尚、変形例では、アラート情報が情報機器２００で受信されない間は、アラート情報出力領域８０３には、上述の追加の生体情報が出力されてもよい。
【００５６】
ここで、マウス５で入力操作がない状態において得られる受光量情報に基づいて生体情報が生成されると、図７に示すように、乱れの略無い脈波の波形（時系列波形）が得られる。また、オキシヘモグロビンの濃度（又はデオキシヘモグロビンの濃度との合計値）が０よりも有意に高く、かつ、オキシヘモグロビンの濃度とデオキシヘモグロビンの濃度とが略等しい。
【００５７】
これに対して、マウス５で入力操作がある状態において得られる受光量情報に基づいて生体情報が生成されると、図８に示すように、脈波の波形に乱れが生じうる。また、オキシヘモグロビンの濃度（又はデオキシヘモグロビンの濃度との合計値）が０よりも有意に高く、かつ、オキシヘモグロビンの濃度がデオキシヘモグロビンの濃度よりも有意に高くなる。これは、マウス５で入力操作に関連したユーザの動きに起因してオキシヘモグロビンの濃度が増加する傾向があるためである。この場合、上述のように、マウス５で入力操作がない状態であるときに得られる生体情報よりも、精度が低くなる傾向がある。
【００５８】
（実施形態のまとめ）
上記の通り、本実施形態により、マウス型の入力装置の筐体に設けられ、前記入力装置を用いるユーザの手に光を当て、該光に係る反射光又は透過光を受光するセンサと、前記入力装置における入力操作に係る操作情報と、前記センサで得られる受光量情報とに基づいて、前記ユーザの生体情報を生成するプロセッサとを含む、生体情報測定装置が提供される。この生体情報測定装置によれば、精度の高い生体情報だけを生成又は出力することが可能となる。
【００５９】
前記プロセッサは、前記入力操作がある状態において、前記入力操作がない状態に比べて、前記生体情報の生成又は出力を抑制してもよい。
【００６０】
前記プロセッサは、前記入力操作がない状態において、前記生体情報の生成及び出力を行ってもよい。
【００６１】
前記センサは、前記筐体の表面に沿う状態又は該表面から突出する状態で設けられてもよい。
【００６２】
また、本実施形態により、マウス型の入力装置の筐体に設けられかつ前記入力装置を用いるユーザの手に光を当て該光に係る反射光又は透過光を受光するセンサから、受光量情報を取得する受光量情報取得部と、前記入力装置における入力操作に係る操作情報を取得する操作情報取得部と、前記受光量情報と前記操作情報とに基づいて、前記ユーザの生体情報を生成する生成部とを含む、情報処理装置が提供される。この情報処理装置によれば、精度の高い生体情報だけを生成又は出力することが可能となる。
【００６３】
また、本実施形態により、マウス型の入力装置の筐体に設けられかつ前記入力装置を用いるユーザの手に光を当て該光に係る反射光又は透過光を受光するセンサから、受光量情報を取得し、前記入力装置における入力操作に係る操作情報を取得し、前記受光量情報と前記操作情報とに基づいて、前記ユーザの生体情報を生成することを含む、コンピュータにより実行される情報処理方法が提供される。この情報処理方法によれば、精度の高い生体情報だけを生成又は出力することが可能となる。
【００６４】
また、本実施形態により、マウス型の入力装置の筐体に設けられかつ前記入力装置を用いるユーザの手に光を当て該光に係る反射光又は透過光を受光するセンサから、受光量情報を取得し、前記入力装置における入力操作に係る操作情報を取得し、前記受光量情報と前記操作情報とに基づいて、前記ユーザの生体情報を生成する処理を、コンピュータに実行させるプログラムが提供される。このプログラムによれば、精度の高い生体情報だけを生成又は出力することが可能となる。
【００６５】
また、本実施形態により、上記プログラムを記憶する非一時的なコンピュータ可読記憶媒体が提供される。
【００６６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００６７】
例えば、上述した実施例において、図５に関連した制御部１７０の一部の機能は、情報機器２００のコンピュータにより実現されてもよい。この場合、制御部１７０及び情報機器２００のコンピュータが、協動して「処理部」の一例となる。また、図５に関連した制御部１７０の全ての機能が、情報機器２００のコンピュータにより実現されてもよい。この場合、情報機器２００のコンピュータが「処理部」の一例となる。
【００６８】
また、上述した実施例では、生体情報測定装置１における光センサ方式は反射型であるが、透過型が使用されてもよい。
【００６９】
本国際特許出願は２０１７年１１月１日に出願した日本国特許出願第２０１７−２１２２８１号に基づきその優先権を主張するものであり、日本国特許出願第２０１７−２１２２８１号の全内容を本願に援用する。
【符号の説明】
【００７０】
１  生体情報測定装置
５  マウス
１１  光学窓
２０  発光部
３０  受光部
４０  センシング部
１１０  ドライブ回路
１２０  増幅回路
１３０  電源
１３２  インターフェース
１３４  メモリ
１３６  タイマ
１４２  無線通信部
１４４  アンテナ
１７０  制御部
１８０  加速度センサ
２００  情報機器
２０１  表示部
５００  筐体
５０１  ホイール
５０２  操作部位
５０３  操作部位
８００  画面
８０１  脈波情報出力領域
８０２  情報出力領域
８０３  アラート情報出力領域
【図１】
2019087916.tif 000003
【図２】
2019087916.tif 000004
【図３】
2019087916.tif 000005
【図４】
2019087916.tif 000006
【図５】
2019087916.tif 000007
【図６】
2019087916.tif 000008
【図７】
2019087916.tif 000009
【図８】
2019087916.tif 000010
【国際調査報告】
2019087916.tif 000011
2019087916.tif 000012
2019087916.tif 000013